(57)【要約】【課題】設置した流し台の下部スペースに引き出しが設けられた際にも、電源コードがそれに接触するなど不具合が生じない組み込み式加熱調理器を提供すること。【解決手段】２４は電源コードで、先端に電源プラグ２５を有し、ケース２２の後面に設けられた開口穴２６より外方に向けて引き出され、開口穴２６の略横方向に設けられた保持部２７に着脱自在に挟み込む構成。【選択図】　図１
2004127577.tif 000002
【特許請求の範囲】
【請求項１】
外郭を構成する本体と、前記本体内より外方へ向けて設けられた電源コードと、前記本体後面に前記電源コードを着脱自在に保持する保持部を設けた組み込み式加熱調理器。
【請求項２】
保持部は、本体後面に複数個設けられた請求項１記載の組み込み式加熱調理器。
【請求項３】
本体後面に複数個の係止部を設け、前記係止部の任意の箇所に係合する保持部材を有した請求項１記載の組み込み式加熱調理器。
【請求項４】
電源コードの、保持部もしくは保持部材に相対する箇所に、周回状に凸部を設けた請求項１〜３記載の組み込み式加熱調理器。
【請求項５】
周回状に設けられた凸部は、複数箇所設けられた請求項４記載の組み込み式加熱調理器。
【発明の詳細な説明】
【０００１】
【発明の属する技術分野】
本発明は、組み込み式加熱調理器に関するものである。
【０００２】
【従来の技術】
従来、この種の組み込み式加熱調理器を、図８に示す誘導加熱調理器を例にとり説明する。図において、流し台１の上面開口部に落とし込まれる上本体２は、外郭を箱状の上本体ケース３と上面部を覆うプレート部４にて構成し、内部には加熱コイル５および加熱コイル５に誘導磁界を発生させるための電気を供給する駆動回路６、さらにそれらを冷却するファンモータ７を具備している。下本体８は、ヒータ９を備えたロースターケース１０、操作部１１等を備えており、上本体２と電気的に結合し、上本体２の底面に設けられたレール（図示せず）に吊り下げるよう構成されている。１２は流し台１内部に設けられているコンセントに接続される電源プラグであり、下本体８の後面から本体外へ向けて電源コード１３が具備されている。（たとえば特許文献１参照）。
【０００３】
一般に、電源プラグは、図９に示すように設置工事時の設置性への配慮から、電源コード１４の長さにある程度余裕をもたせる。本図は、上下本体を一体化した他の従来例である。
【０００４】
図において、設置工事時には、本体１５を流し台１６の上に置き、電源プラグ１７を流し台の上面開口部からコンセントに接続してから本体をはめ込むこととなる。この際、設置した後の電源コード１４は下方にたるむが、設置した流し台１６の下部スペースに引き出し１７が設けられている場合には、引き出しの角部１７−ａと電源コード１４が接触することがある。図１０は図９の様子を後方から斜視したものである。
【０００５】
【特許文献１】
特開平１１−１２１１５５号公報（第５頁、図８）
【０００６】
【発明が解決しようとする課題】
しかしながらこのような従来の構成では、引き出しの角部と電源コードが接触したことにより、引き出しがスムーズに閉まらない上に、場合によっては常に開いたままになってしまう可能性があるという課題を有していた。
【０００７】
【課題を解決するための手段】
前記従来の課題を解決するために、本発明の組み込み式加熱調理器は、外郭を構成する本体と、前記本体内より外方へ向けて設けられた電源コードと、前記本体後面に前記電源コードを着脱自在に保持する保持部を設けた構成とした。
【０００８】
そしてこの構成により、設置した流し台の下部スペースに引き出しが設けられている場合においても、電源コードは一旦横方向に方向を変化させるため、一般的に調理器本体の略後方に配置されているコンセントに電源プラグを差し込んだ際に電源コードは下方に垂れ下がる事はなく、引き出しと接触することがなくなり、快適なキッチンを供給できることとなる。
【０００９】
もちろん、電源コードは着脱自在の構造を採っているので、流し台に引き出しのない時や、あきらかに引き出しに接触しない場合などは保持部より電源コードを外してもよい。これにより、電源コードの設置時の長さ余裕が増加するので、設置性の向上が図れるものである。また、コンセントが調理器本体より遠方にある場合にも有効である。
【００１０】
【発明の実施の形態】
請求項１に記載の発明は、外郭を構成する本体と、前記本体内より外方へ向けて設けられた電源コードと、前記本体後面に前記電源コードを着脱自在に保持する保持部を設けた構成とした。
【００１１】
そしてこの構成により、設置した流し台の下部スペースに引き出しが設けられている場合においても、電源コードは一旦横方向に方向を変化させるため、一般的に調理器本体の略後方に配置されているコンセントに電源プラグを差し込んだ際に電源コードは下方に垂れ下がる事はなく、引き出しと接触することがなくなり、快適なキッチンを供給できることとなる。
【００１２】
もちろん、電源コードは着脱自在の構造を採っているので、流し台に引き出しのない時や、あきらかに引き出しに接触しない場合などは保持部より電源コードを外してもよい。これにより、電源コードの設置時の長さ余裕が増加するので、設置性の向上が図れるものである。また、コンセントが調理器本体より遠方にある場合にも有効である。
【００１３】
請求項２に記載の発明は、保持部は、本体後面に複数個設ける構成とした。この構成により、設置した流し台の下部スペースに設けられている引き出しの位置や奥行き寸法、コンセントの位置等によって電源コードを保持する場所を変えることができ、設置性の向上が図れるものである。
【００１４】
請求項３に記載の発明は、本体後面に複数個の係止部を設け、前記係止部の任意の箇所に係合する保持部材を有する構成とした。この構成により、設置した流し台の下部スペースに設けられている引き出しの位置や奥行き寸法、コンセントの位置等によって電源コードを保持する場所を変えることができる上に、不要な保持部の突出も無いため設置作業の邪魔にならず、さらなる設置作業性の向上が図れるものである。
【００１５】
請求項４に記載の発明は、電源コードの、保持部もしくは保持部材に相対する箇所に、周回状に凸部を設けた構成とした。この構成により、電源コードの保持部に挿入する個所の目安となり、作業性の向上が図れるとともに、電源コードを引っ張った際のずれ防止にもなるものである。
【００１６】
請求項５に記載の発明は、周回状に設けられた凸部は、複数箇所設けた構成とした。この構成により、電源コードの保持部に挿入する個所の目安となり、作業性の向上が図れるとともに、電源コードを引っ張った際のずれ防止にもなる上に、設置した流し台の下部スペースに設けられている引き出しの位置や奥行き寸法、コンセントの位置等によって電源コードを保持する場所を変えることができ、設置現場での臨機応変な作業が可能になるものである。
【００１７】
【実施例】
以下、本発明の実施例について、図面を参照しながら説明する。
【００１８】
（実施例１）
図１は、本発明の第１の実施例における組み込み式加熱調理器の本体後面斜視図である。図２は図１におけるＡ矢視図、図３は図２における断面Ｂ−Ｂである。
【００１９】
なお、内部構成等は、従来例における図８もしくは図９と同様であるので説明を省略する。
【００２０】
図１〜図３において、２１は本体であり、金属製のケース２２とセラミックガラス製のトッププレート２３等で箱状に形成されている。２４は電源コードで、先端に電源プラグ２５を有し、ケース２２の後面に設けられた開口穴２６より外方に向けて引き出され、開口穴２６の略横方向に設けられた保持部２７に挟み込まれている。保持部２７はケース２２を切り起こして形成しており、電源コード２４を挟み込んだ後、保持部２７の先端をケース２２の方向に押し上げることでより確実に保持している。２８は流し台の下部スペースに設けられた引き出しである。
【００２１】
以上のように構成された電源コード保持部構成について、以下その動作、作用を説明する。
【００２２】
本体２１を設置した流し台の下部スペースに引き出し２８が設けられている場合においても、電源コード２４は保持部２７に挟み込まれることにより、一旦横方向に方向を変化させるため、電源コード２４が下方に垂れ下がることはなく、引き出し２８と接触することがなくなり、使い勝手の良い快適なキッチンを提供することができるものである。なお、電源プラグ２５を差し込むコンセントは、通常、加熱調理器本体の後方に配置されており、引き出し２８の後方付近に設けられることはほとんどない。
【００２３】
もちろん、電源コード２４は保持部２７に着脱自在の構造を採っているので、流し台に引き出し２８のない時や、あきらかに引き出し２８に接触しない場合などは保持部２７より電源コード２４を外してもよい。これにより、電源コード２４の設置時の長さ余裕が増加するので、設置性の向上が図れるものである。また、コンセントが調理器本体より遠方にある場合にも有効である。
【００２４】
（実施例２）
本発明の第２の実施例について説明する。図４において、３１は電源コードを挟み込む保持部であり、ケース３２の後面に複数個設けられている。
【００２５】
この構成により、設置した流し台の下部スペースに設けられている引き出しの位置や奥行き寸法、コンセントの位置等によって電源コードを保持する場所を変えることができ、設置性の向上が図れるものである。
【００２６】
（実施例３）
本発明の第３の実施例について説明する。図５において、４１は電源コードを挟み込む保持部材であり、先端形状４２は、ケース４３の後面に設けられた複数個の穴部４４のいずれかに勘合し、係止するよう、くさび状になっている。
【００２７】
この構成により、設置した流し台の下部スペースに設けられている引き出しの位置や奥行き寸法、コンセントの位置等によって電源コードを保持する場所を変えることができる上に、不要な保持部の突出も無いため設置作業の邪魔にならず、さらなる設置作業性の向上が図れるものである。
【００２８】
（実施例４）
本発明の第４の実施例について説明する。図６において、電源コード５１の、保持部もしくは保持部材５２に相対する箇所に、周回状に凸部を設けるよう結束バンド５３を施す構成とした。
【００２９】
この構成により、電源コード５１の保持部もしくは保持部材５２に挿入する個所の目安となり、作業性の向上が図れるとともに、電源コードを引っ張った際のずれ防止にもなるものである。
【００３０】
（実施例５）
本発明の第５の実施例について説明する。図７において、電源コード６１に周回状に設けられた凸部である結束バンド６２は、複数箇所設けた構成とした。
【００３１】
この構成により、電源コード６１の保持部もしくは保持部材６３に挿入する個所の目安となり、作業性の向上が図れるとともに、電源コード６１を引っ張った際のずれ防止にもなる上に、設置した流し台の下部スペースに設けられている引き出しの位置や奥行き寸法、コンセントの位置等によって電源コード６１を保持する場所を変えることができ、設置現場での臨機応変な作業が可能になるものである。
【００３２】
【発明の効果】
以上のように請求項１ないし５に記載の発明によれば、設置した流し台の下部スペースに引き出しが設けられた際にも、それに接触するなど不具合が生じること無く、設置時の作業性の向上が図れるとともに、使い勝手の良いキッチンを提供できるものである。
【図面の簡単な説明】
【図１】本発明の第１の実施例における組み込み式加熱調理器後面の斜視図
【図２】本発明の第１の実施例における図１のＡ矢視図
【図３】本発明の第１の実施例における図２の断面Ｂ−Ｂ図
【図４】本発明の第２の実施例における組み込み式加熱調理器の後面図
【図５】本発明の第３の実施例における組み込み式加熱調理器後面の斜視図
【図６】本発明の第４の実施例における組み込み式加熱調理器の要部後面図
【図７】本発明の第５の実施例における組み込み式加熱調理器の要部後面図
【図８】従来の組み込み式加熱調理器の断面図
【図９】従来の他の組み込み式加熱調理器の断面図
【図１０】従来の組み込み式加熱調理器後面の斜視図
【符号の説明】
２４　電源コード
２７　保持部
２８　引き出し
【図１】
2004127577.tif 000003
【図２】
2004127577.tif 000004
【図３】
2004127577.tif 000005
【図４】
2004127577.tif 000006
【図５】
2004127577.tif 000007
【図６】
2004127577.tif 000008
【図７】
2004127577.tif 000009
【図８】
2004127577.tif 000010
【図９】
2004127577.tif 000011
【図１０】
2004127577.tif 000012